(57)【特許請求の範囲】
【請求項１】
キャビネット等の本体(1)に対して扉等の進退部材(2)を引出し方向及び押入れ方向に移動可能とするスライドレール装置であり、前記本体(1)に固定されるほぼ溝形の固定レール(8)と、前記進退部材(2)に取付けられ固定レールに対して摺動自在に組合せられたほぼ溝形の移動レール(11)と、移動レールの摺動により進退部材(2)を最大引出し位置まで移動したとき、移動レールの引出し方向の端部を保持する保持手段(17)とを備えた構成において、
前記保持手段(17)は、固定レール(8)の引出し方向の端部に固定された保持部材(18)と、該保持部材に係脱自在に係止するように移動レール(11)の引出し方向の端部に設けられた係止手段(19)とから構成され、
前記保持部材(18)は、固定レール(8)の引出し方向の端部において該レールの溝幅のほぼ全幅にわたり装填された栓部(20)と、該栓部から固定レールの溝内に沿って該溝幅よりも狭い幅を有して延びる延出部(21)とを弾性材により一体に形成し、前記栓部(20)により移動レール(11)に対向するストッパ(33)を形成し、前記該延出部(21)の先端近傍部の側縁に固定レールの溝壁(8b)に向けてほぼ山形に突出する爪部(25)を設け、該爪部(25)の頂部から延出部(21)の先端に向かう斜面を緩傾斜させることによりガイドテーパ面(26)を形成すると共に、該頂部から栓部(29)に向かう斜面を急傾斜させることにより保持面(27)を形成しており、
前記係止手段(19)は、移動レール(11)の引出し方向の端縁から所定寸法だけ押入れ方向に離間した部位に位置して該レールの溝壁(11b)を溝内方向に突出させた係止突部(31)を備え、該係止突部(31)から引出し方向の端縁に向かう該レールの溝壁端部(11c)を該端縁に向けて緩傾斜させることにより前記ガイドテーパ面(26)に沿うテーパ面(32)を形成すると共に、該係止突部(31)の押入れ方向に向かう斜面を急傾斜させることにより前記保持面(27)に係止可能な急斜面を形成しており、
前記移動レール(11)を最大引出し位置に向けて摺動することにより前記係止突部(31)を爪部(25)に乗り越えさせたとき、移動レール(11)の引出し方向の端縁が前記栓部(20)のストッパ(33)に受止められると共に前記係止突部(31)が爪部(25)の保持面(27)に係止され、前記係止突部(31)を含む溝壁端部(11c)を前記ストッパ(33)と保持面(27)の間に挟持状態で保持するように構成して成ることを特徴とするスライドレール装置。
【請求項２】
保持部材(18)の爪部(25,25)を延出部(21)の両側縁に形成せしめ、係止突部(31,31)を移動レール(11)の両側の溝壁(11b,11b)に形成せしめた構成において、
弾性材により形成された保持部材(18)の延出部(21)が固定レール(8)の溝幅よりも狭い幅の盤状ブロックを構成すると共に、該延出部(21)の先端の幅方向ほぼ中央部から栓部(20)に向けて盤状ブロックを薄肉にするように延びる凹部(22)を形成し、該凹部(22)を挟んで厚肉部(24,24)を形成すると共に、該厚肉部(24,24)に前記爪部(25)を設け、前記厚肉部(24,24)を前記凹部(22)により弾性変形するように構成し、
前記移動レール(11)を最大引出し位置に摺動したとき、該移動レール(11)に設けたボルト・ナット(13)の突出部が前記凹部(22)に進入するように構成して成ることを特徴とする請求項１に記載のスライドレール装置。
【請求項３】
キャビネット等の本体(1)に対して扉等の進退部材(2)を引出し方向及び押入れ方向に移動可能とするスライドレール装置であり、前記本体(1)に固定されるほぼ溝形の固定レール(8)と、前記進退部材(2)に取付けられ固定レールに対して摺動自在に組合せられたほぼ溝形の移動レール(11)と、移動レールの摺動により進退部材(2)を最大押入れ位置まで移動したとき、移動レールの押入れ方向の端部を保持する保持手段(17)とを備えた構成において、
前記保持手段(17)は、固定レール(8)の押入れ方向の端部に固定された保持部材(18)と、該保持部材に係脱自在に係止するように移動レール(11)の押入れ方向の端部に設けられた係止手段(19)とから構成され、
前記保持部材(18)は、固定レール(8)の押入れ方向の端部において該レールの溝幅のほぼ全幅にわたり装填された栓部(20)と、該栓部から固定レールの溝内に沿って該溝幅よりも狭い幅を有して延びる延出部(21)とを弾性材により一体に形成し、前記栓部(20)により移動レール(11)に対向するストッパ(33)を形成し、前記該延出部(21)の先端近傍部の側縁に固定レールの溝壁(8b)に向けてほぼ山形に突出する爪部(25)を設け、該爪部(25)の頂部から延出部(21)の先端に向かう斜面を緩傾斜させることによりガイドテーパ面(26)を形成すると共に、該頂部から栓部(29)に向かう斜面を急傾斜させることにより保持面(27)を形成しており、
前記係止手段(19)は、移動レール(11)の押入れ方向の端縁から所定寸法だけ引出し方向に離間した部位に位置して該レールの溝壁(11b)を溝内方向に突出させた係止突部(31)を備え、該係止突部(31)から押入れ方向の端縁に向かう該レールの溝壁端部(11c)を該端縁に向けて緩傾斜させることにより前記ガイドテーパ面(26)に沿うテーパ面(32)を形成すると共に、該係止突部(31)の引出し方向に向かう斜面を急傾斜させることにより前記保持面(27)に係止可能な急斜面を形成しており、
前記移動レール(11)を最大押入れ位置に向けて摺動することにより前記係止突部(31)を爪部(25)に乗り越えさせたとき、移動レール(11)の押入れ方向の端縁が前記栓部(20)のストッパ(33)に受止められると共に前記係止突部(31)が爪部(25)の保持面(27)に係止され、前記係止突部(31)を含む溝壁端部(11c)を前記ストッパ(33)と保持面(27)の間に挟持状態で保持するように構成して成ることを特徴とするスライドレール装置。
【請求項４】
保持部材(18)の爪部(25,25)を延出部(21)の両側縁に形成せしめ、係止突部(31,31)を移動レール(11)の両側の溝壁(11b,11b)に形成せしめた構成において、
弾性材により形成された保持部材(18)の延出部(21)が固定レール(8)の溝幅よりも狭い幅の盤状ブロックを構成すると共に、該延出部(21)の先端の幅方向ほぼ中央部から栓部(20)に向けて盤状ブロックを薄肉にするように延びる凹部(22)を形成し、該凹部(22)を挟んで厚肉部(24,24)を形成すると共に、該厚肉部(24,24)に前記爪部(25)を設け、前記厚肉部(24,24)を前記凹部(22)により弾性変形するように構成し、
前記移動レール(11)を最大押入れ位置に摺動したとき、該移動レール(11)に設けたボルト・ナット(13)の突出部が前記凹部(22)に進入するように構成して成ることを特徴とする請求項３に記載のスライドレール装置。
【請求項５】
前面開口部を開閉する扉(2)を備えたキャビネット等の本体(1)の一側部内面に上下に離れてほぼ水平に配置されたスライドレール装置(6,6)を設け、該スライドレール装置の固定レール(8,8)を前記本体の内面に固着し、移動レール(11,11)に前記扉(2)の一側部の上部と下部をそれぞれ回動可能に連結した扉装置において、
下側のスライドレール装置(6a)を請求項１又は２に記載のスライドレール装置により構成しており、
扉(2)を最大引出し位置まで移動したとき、下側のスライドレール装置(6a)に設けた保持手段(17a)の係止手段(19a)を保持部材(18a)に係止するように構成して成ることを特徴とする扉装置。
【請求項６】
前面開口部を開閉する扉(2)を備えたキャビネット等の本体(1)の一側部内面に上下に離れてほぼ水平に配置されたスライドレール装置(6,6)を設け、該スライドレール装置の固定レール(8,8)を前記本体の内面に固着し、移動レール(11,11)に前記扉(2)の一側部の上部と下部をそれぞれ回動可能に連結した扉装置において、
上側のスライドレール装置(6b)を請求項３又は４に記載のスライドレール装置により構成しており、
扉(2)を最大押し込み位置まで移動したとき、上側のスライドレール装置(6b)に設けた保持手段(17b)の係止手段(19b)を保持部材(18b)に係止するように構成して成ることを特徴とする扉装置。
【請求項７】
前面開口部を開閉する扉(2)を備えたキャビネット等の本体(1)の一側部内面に上下に離れてほぼ水平に配置されたスライドレール装置(6b,6a)を設け、該スライドレール装置の固定レール(8,8)を前記本体の内面に固着し、移動レール(11,11)に前記扉(2)の一側部の上部と下部をそれぞれ回動可能に連結した扉装置において、
下側のスライドレール装置(6a)を請求項１又は２に記載のスライドレール装置により構成し、上側のスライドレール装置(6b)を請求項３又は４に記載のスライドレール装置により構成しており、
扉(2)を最大引出し位置まで移動したとき、下側のスライドレール装置(6a)に設けた保持手段(17a)の係止手段(19a)を保持部材(18a)に係止し、扉(2)を最大押し込み位置まで移動したとき、上側のスライドレール装置(6b)に設けた保持手段(17b)の係止手段(19b)を保持部材(18b)に係止するように構成して成ることを特徴とする扉装置。
【発明の詳細な説明】
【０００１】
【発明の属する技術分野】
本発明は、キャビネット等の家具本体に対して扉等の進退部材を引出し方向及び押入れ方向に移動可能とするスライドレール装置並びに同スライドレール装置を設けた扉装置に関する。
【０００２】
【従来の技術】
従来、開閉自在な扉を備えたキャビネットにおいて、開放した扉をキャビネットの側板の内面に沿って格納できるようにした家具が公知である。このような扉を格納移動せしめるために使用されるスライドレール装置は、固定レールと、該固定レールに摺動自在に組付けられた移動レールとから成り、固定レールをキャビネットの側板に取付固定し、扉を移動レールに蝶番を介して取付ける構成とされている。横開き形式の扉を支持するため、蝶番及びスライドレール装置は、少なくとも扉の上下に位置して一対が配設される。そして、扉の格納移動を上下位置で同期せしめるため、上下に配設されたスライドレール装置における移動レールを相互に連結補強材で連結している。
【０００３】
【発明が解決しようとする課題】
片持ち支持された扉は、開放状態において扉の重心をスライドレール装置よりも前方に位置するので、扉の荷重により、下側のスライドレール装置の移動レールを押入れ方向に向かわしめ、上側のスライドレール装置の移動レールを引出し方向に向かわしめるように、モーメントを生じる。前述のように上下に配設されたスライドレール装置における移動レールは相互に連結補強材で連結されているが、扉が縦長になると連結補強材も相当に縦長になるため、モーメントに対して十分に抵抗できない。そこで、上側のスライドレール装置の移動レールは、最大引出し位置でストッパによりそれ以上の引出し方向の移動を阻止されるが、下側のスライドレール装置の移動レールは、押入れ方向に対して自由に移動する。その結果、従来技術においては、扉を開放した状態で、下側のスライドレール装置の移動レールが押入れ方向に若干移動し、扉の姿勢を傾斜させてしまう。また、扉を最も後方へ移動させた最大押入れ位置では、下側のスライドレール装置の移動レールは、ストッパによって押入れ方向への移動が阻止されるが、上側のスライドレール装置の移動レールは、引出し方向に自由に移動する。その結果、最大押入れ位置では、上側のスライドレール装置が引出し方向に若干移動し、扉の姿勢を傾斜させてしまう。
【０００４】
このため、キャビネットを扉により閉じる際、傾斜姿勢のまま扉を閉じると、扉の下縁がキャビネットの開口縁に衝当する虞れがあり、閉鎖不能という問題や、キャビネット又は扉の損傷という問題を生じる。そこで、従来技術においては、傾斜姿勢で開放されている扉を閉じる際、ユーザが扉を前方に引出しながら、鉛直姿勢を保持した状態で扉を閉鎖させることが必要であり、細心の注意と煩雑な作業を強いるという問題がある。
【０００５】
また、最大押入れ位置に押込んだ扉は、その前下端部がキャビネット本体の内部下面に接触しており、それらの間に大きな静止摩擦力が作用している。このため、扉を最大押入れ位置から引出す際には、扉が引出しにくいという問題を生じる。
【０００６】
本発明は、このような問題を解決したスライドレール装置の実現を課題とし、部品点数が少なく、構造簡単で安価であり、従来構造のスライドレール装置に対しても容易に実施できる装置を提供するものである。また、このようなスライドレール装置を設けた扉装置を提供するものである。
【０００７】
そこで、本発明のスライドレール装置が第１の手段として構成したところは、キャビネット等の本体(1)に対して扉等の進退部材(2)を引出し方向及び押入れ方向に移動可能とするスライドレール装置であり、前記本体(1)に固定されるほぼ溝形の固定レール(8)と、前記進退部材(2)に取付けられ固定レールに対して摺動自在に組合せられたほぼ溝形の移動レール(11)と、移動レールの摺動により進退部材(2)を最大引出し位置まで移動したとき、移動レールの引出し方向の端部を保持する保持手段(17)とを備えた構成において、前記保持手段(17)は、固定レール(8)の引出し方向の端部に固定された保持部材(18)と、該保持部材に係脱自在に係止するように移動レール(11)の引出し方向の端部に設けられた係止手段(19)とから構成され、前記保持部材(18)は、固定レール(8)の引出し方向の端部において該レールの溝幅のほぼ全幅にわたり装填された栓部(20)と、該栓部から固定レールの溝内に沿って該溝幅よりも狭い幅を有して延びる延出部(21)とを弾性材により一体に形成し、前記栓部(20)により移動レール(11)に対向するストッパ(33)を形成し、前記該延出部(21)の先端近傍部の側縁に固定レールの溝壁(8b)に向けてほぼ山形に突出する爪部(25)を設け、該爪部(25)の頂部から延出部(21)の先端に向かう斜面を緩傾斜させることによりガイドテーパ面(26)を形成すると共に、該頂部から栓部(29)に向かう斜面を急傾斜させることにより保持面(27)を形成しており、前記係止手段(19)は、移動レール(11)の引出し方向の端縁から所定寸法だけ押入れ方向に離間した部位に位置して該レールの溝壁(11b)を溝内方向に突出させた係止突部(31)を備え、該係止突部(31)から引出し方向の端縁に向かう該レールの溝壁端部(11c)を該端縁に向けて緩傾斜させることにより前記ガイドテーパ面(26)に沿うテーパ面(32)を形成すると共に、該係止突部(31)の押入れ方向に向かう斜面を急傾斜させることにより前記保持面(27)に係止可能な急斜面を形成しており、前記移動レール(11)を最大引出し位置に向けて摺動することにより前記係止突部(31)を爪部(25)に乗り越えさせたとき、移動レール(11)の引出し方向の端縁が前記栓部(20)のストッパ(33)に受止められると共に前記係止突部(31)が爪部(25)の保持面(27)に係止され、前記係止突部(31)を含む溝壁端部(11c)を前記ストッパ(33)と保持面(27)の間に挟持状態で保持するように構成して成る点にある。
【０００８】
第１の手段として構成したスライドレール装置の好ましい実施形態は、保持部材(18)の爪部(25,25)を延出部(21)の両側縁に形成せしめ、係止突部(31,31)を移動レール(11)の両側の溝壁(11b,11b)に形成せしめた構成において、弾性材により形成された保持部材(18)の延出部(21)が固定レール(8)の溝幅よりも狭い幅の盤状ブロックを構成すると共に、該延出部(21)の先端の幅方向ほぼ中央部から栓部(20)に向けて盤状ブロックを薄肉にするように延びる凹部(22)を形成し、該凹部(22)を挟んで厚肉部(24,24)を形成すると共に、該厚肉部(24,24)に前記爪部(25)を設け、前記厚肉部(24,24)を前記凹部(22)により弾性変形するように構成し、前記移動レール(11)を最大引出し位置に摺動したとき、該移動レール(11)に設けたボルト・ナット(13)の突出部が前記凹部(22)に進入するように構成している。
【０００９】
また、本発明のスライドレール装置が第２の手段として構成したところは、キャビネット等の本体(1)に対して扉等の進退部材(2)を引出し方向及び押入れ方向に移動可能とするスライドレール装置であり、前記本体(1)に固定されるほぼ溝形の固定レール(8)と、前記進退部材(2)に取付けられ固定レールに対して摺動自在に組合せられたほぼ溝形の移動レール(11)と、移動レールの摺動により進退部材(2)を最大押入れ位置まで移動したとき、移動レールの押入れ方向の端部を保持する保持手段(17)とを備えた構成において、前記保持手段(17)は、固定レール(8)の押入れ方向の端部に固定された保持部材(18)と、該保持部材に係脱自在に係止するように移動レール(11)の押入れ方向の端部に設けられた係止手段(19)とから構成され、前記保持部材(18)は、固定レール(8)の押入れ方向の端部において該レールの溝幅のほぼ全幅にわたり装填された栓部(20)と、該栓部から固定レールの溝内に沿って該溝幅よりも狭い幅を有して延びる延出部(21)とを弾性材により一体に形成し、前記栓部(20)により移動レール(11)に対向するストッパ(33)を形成し、前記該延出部(21)の先端近傍部の側縁に固定レールの溝壁(8b)に向けてほぼ山形に突出する爪部(25)を設け、該爪部(25)の頂部から延出部(21)の先端に向かう斜面を緩傾斜させることによりガイドテーパ面(26)を形成すると共に、該頂部から栓部(29)に向かう斜面を急傾斜させることにより保持面(27)を形成しており、前記係止手段(19)は、移動レール(11)の押入れ方向の端縁から所定寸法だけ引出し方向に離間した部位に位置して該レールの溝壁(11b)を溝内方向に突出させた係止突部(31)を備え、該係止突部(31)から押入れ方向の端縁に向かう該レールの溝壁端部(11c)を該端縁に向けて緩傾斜させることにより前記ガイドテーパ面(26)に沿うテーパ面(32)を形成すると共に、該係止突部(31)の引出し方向に向かう斜面を急傾斜させることにより前記保持面(27)に係止可能な急斜面を形成しており、前記移動レール(11)を最大押入れ位置に向けて摺動することにより前記係止突部(31)を爪部(25)に乗り越えさせたとき、移動レール(11)の押入れ方向の端縁が前記栓部(20)のストッパ(33)に受止められると共に前記係止突部(31)が爪部(25)の保持面(27)に係止され、前記係止突部(31)を含む溝壁端部(11c)を前記ストッパ(33)と保持面(27)の間に挟持状態で保持するように構成して成る点にある。
【００１０】
第２の手段として構成したスライドレール装置の好ましい実施形態は、保持部材(18)の爪部(25,25)を延出部(21)の両側縁に形成せしめ、係止突部(31,31)を移動レール(11)の両側の溝壁(11b,11b)に形成せしめた構成において、弾性材により形成された保持部材(18)の延出部(21)が固定レール(8)の溝幅よりも狭い幅の盤状ブロックを構成すると共に、該延出部(21)の先端の幅方向ほぼ中央部から栓部(20)に向けて盤状ブロックを薄肉にするように延びる凹部(22)を形成し、該凹部(22)を挟んで厚肉部(24,24)を形成すると共に、該厚肉部(24,24)に前記爪部(25)を設け、前記厚肉部(24,24)を前記凹部(22)により弾性変形するように構成し、前記移動レール(11)を最大押入れ位置に摺動したとき、該移動レール(11)に設けたボルト・ナット(13)の突出部が前記凹部(22)に進入するように構成している。
【００１１】
本発明によれば、上記のスライドレール装置を設けた扉装置が提供され、本発明の扉装置が第１の手段として構成したところは、前面開口部を開閉する扉(2)を備えたキャビネット等の本体(1)の一側部内面に上下に離れてほぼ水平に配置されたスライドレール装置(6,6)を設け、該スライドレール装置の固定レール(8,8)を前記本体の内面に固着し、移動レール(11,11)に前記扉(2)の一側部の上部と下部をそれぞれ回動可能に連結した扉装置において、下側のスライドレール装置(6a)を上記第１の手段として構成されたスライドレール装置により構成しており、扉(2)を最大引出し位置まで移動したとき、下側のスライドレール装置(6a)に設けた保持手段(17a)の係止手段(19a)を保持部材(18a)に係止するように構成して成る点にある。
【００１２】
また、本発明の扉装置が第２の手段として構成したところは、前面開口部を開閉する扉(2)を備えたキャビネット等の本体(1)の一側部内面に上下に離れてほぼ水平に配置されたスライドレール装置(6,6)を設け、該スライドレール装置の固定レール(8,8)を前記本体の内面に固着し、移動レール(11,11)に前記扉(2)の一側部の上部と下部をそれぞれ回動可能に連結した扉装置において、上側のスライドレール装置(6b)を上記第２の手段として構成されたスライドレール装置により構成しており、扉(2)を最大押し込み位置まで移動したとき、上側のスライドレール装置(6b)に設けた保持手段(17b)の係止手段(19b)を保持部材(18b)に係止するように構成して成る点にある。
【００１３】
更に、本発明の扉装置が第３の手段として構成したところは、前面開口部を開閉する扉(2)を備えたキャビネット等の本体(1)の一側部内面に上下に離れてほぼ水平に配置されたスライドレール装置(6b,6a)を設け、該スライドレール装置の固定レール(8,8)を前記本体の内面に固着し、移動レール(11,11)に前記扉(2)の一側部の上部と下部をそれぞれ回動可能に連結した扉装置において、下側のスライドレール装置(6a)を上記第１の手段により構成されたスライドレール装置により構成し、上側のスライドレール装置(6b)を上記第２の手段により構成されたスライドレール装置により構成しており、扉(2)を最大引出し位置まで移動したとき、下側のスライドレール装置(6a)に設けた保持手段(17a)の係止手段(19a)を保持部材(18a)に係止し、扉(2)を最大押し込み位置まで移動したとき、上側のスライドレール装置(6b)に設けた保持手段(17b)の係止手段(19b)を保持部材(18b)に係止するように構成して成る点にある。
【００１４】
【発明の実施の形態】
以下図面に基づいて本発明の好ましい実施形態を詳述する。
【００１５】
図１は、本発明のスライドレール装置を実施した家具の１例として、扉付きキャビネットの一部を示している。キャビネットを構成する本体１は、前面の開口部を開閉自在とする扉２を備えており、該扉２は、図示矢印Ｒの方向に回動自在であり、蝶番３により図示の右側端部が前方に持ち出されながら鎖線に示す位置までほぼ９０度回動し、これにより本体２の前面開口部を開放する。また、本体２の一側部の側板４の内側には所定間隔をあけて内側板５を設けることにより両板４、５の間に格納空間Ｓが形成され、図示鎖線のように開放された扉２は、蝶番３と共に後方（図示矢印Ｍの方向）に押入れることにより格納空間Ｓに格納される。尚、格納された扉２は、前方（図示矢印Ｍの反対方向）に向けて蝶番３と共に引出した後、図示鎖線で示す引出し位置から実線で示す閉鎖位置に向けて回動自在である。
【００１６】
格納空間Ｓに対して扉２を蝶番３と共に押入れ方向及び引出し方向に移動可能とするため、少なくとも扉２の上下に対応して一対のスライドレール装置６、６が配設されている。即ち、図５に示すように一対のスライドレール装置６、６が本体１の側板４の内面に上下に離れて配置され、長手方向を前後方向に向けてほぼ水平に設けられている。ところで、本発明のスライドレール装置は、扉付きキャビネットの他、キャビネットのような「本体」と、該本体の格納空間に押入れ且つ引出し自在とされる扉のような「進退部材」を備えたものであれば、類似物品にも実施可能であることを諒解されたい。
【００１７】
各スライドレール装置６は、本体１の側板４の内面にビス７で固着される固定レール８と、複数のボール９を保持したリテーナレール１０と、移動レール１１とを、それぞれ、外側、中間、内側に配置せしめて組合せることにより構成されており、固定レール８が最も長く、リテーナレール１０が次に長く、移動レール１１が最も短い。
【００１８】
図２及び図３に示すように、リテーナレール１０は、帯状金属板により移動レール１１の２倍強の長さに形成され、固定レール８と移動レール１１の間に介装される基板部１０ａと、該基板部１０ａの両側縁に折曲形成されたボール保持部１０ｂ、１０ｂとを備え、該ボール保持部１０ｂに列設したボール孔により各ボール９を回転自在に保持する。
【００１９】
固定レール８は、帯状金属板により、ボール９を含んでリテーナレール１０を内装せしめる溝幅の溝形に形成され、溝底部を構成する基板部８ａの両側縁に折曲形成された断面弧状の溝壁８ｂ、８ｂによりボール９を外側から抱持する。従って、リテーナレール１０は、ボール９を介して固定レール８の長手方向に摺動自在である。尚、固定レール８の長手方向の両端縁には、基板部８ａから一体に折曲形成された舌片８ｃ、８ｃ（一方だけを図示し他方は図示しない）が設けられている。また、基板部８ａは、少なくとも長手方向両端の近傍位置にビス孔８ｄ、８ｄ（一方だけを図示し他方は図示しない）を貫設し、更に、該基板部８ａの長手方向に間隔をあけて複数のビス孔８ｅを貫設しており、これらのビス孔８ｄ、８ｅを介して前述したビス７により本体１の側板４の内面に固着される。
【００２０】
移動レール１１は、金属板により、リテーナレール１０のボール９を含むボール保持部１０ｂ、１０ｂに内装される溝幅の溝形に形成され、溝底部を構成する基板部１１ａの両側縁に折曲形成された断面弧状の溝壁１１ｂ、１１ｂによりボール９を内側から抱持する。従って、移動レール１１は、ボール９を介してリテーナレール１０の長手方向に摺動自在である。尚、基板部１１ａは、長手方向両端の近傍位置に孔（図３（Ｂ）に孔のボス１２を示す）を貫設しており、該孔を介してボルト・ナット１３（図３（Ａ）参照）により蝶番３を取付固着する。
【００２１】
固定レール８に対する移動レール１１の摺動を行うと、ボール９の回転によりリテーナレール１０が同時に追従しながら摺動するが、移動レール１１の摺動を繰り返すうちに、ボール９は、固定レール８の溝壁８ｂ及び／又は移動レール１１の溝壁１１ｂに対してスリップし、該移動レール１１とリテーナレール１０の相対位置が次第に変化することがある。そこで、このような相対位置の変化が所定範囲を越えたとき、リテーナレール１０を移動レール１１に追従して移動せしめ、両レール１０、１１の相対位置を所定位置に復帰させるために、移動レール１１とリテーナレール１０を相互に係止せしめる係合突起１４、１５がそれぞれのレールに設けられている（図２（Ｂ）参照）。
【００２２】
このような構成のスライドレール装置６は、少なくとも扉２の上下に位置して一対が配設され（図５において、上側のスライドレール装置を符号６ａにより示し、下側のスライドレール装置を符号６ｂにより示している）、それぞれ、固定レール８は、ビス７を介して本体１の側板４の内面に固着され、移動レール１１には、ボルト・ナット１３を介して蝶番３が取付けられ、蝶番３により扉２が開閉自在に支持される。上述のように扉２を開放状態から格納空間Ｓに押入れ、又は格納空間Ｓから引き出す際に、扉２の上下位置での動きを同期せしめるため、上下に配設されたスライドレール装置６、６における移動レール１１、１１は相互に連結補強材１６で連結されている（図１参照）。
【００２３】
上記の構成において、移動レール１１を前方へ摺動せしめることにより扉２を最大引出し位置まで移動したとき、移動レール１１の引出し方向の端部を保持するための保持手段１７（後述する第１保持手段１７ａ）が設けられている。また、移動レール１１を後方へ摺動せしめることにより扉２を最大押入れ位置まで移動したとき、移動レール１１の押入れ方向の端部を保持するための保持手段１７（後述する第２保持手段１７ｂ）が設けられている。第１保持手段１７ａと第２保持手段１７ｂは、スライドレール装置の長手方向に関して前後対称とした形態である他、同一構成であるから、図３及び図４に一方の第１保持手段１７ａを示しながら説明すると、保持手段１７は、固定レール８の引出し方向の端部に固定された保持部材１８と、該保持部材１８に係脱自在に係止するように移動レール１１の引出し方向の端部に設けられた係止手段１９とから構成されている。
【００２４】
保持部材１８は、固定レール８の引出し方向の端部において該レールの溝幅のほぼ全幅にわたり装填される栓部２０と、該栓部２０から固定レール８の溝内に沿って該溝幅よりも狭い幅を有して延びる延出部２１とを弾性材により一体に形成した平板状の盤状ブロックを構成している。例えば、弾性材は、天然ゴム、合成ゴム、合成樹脂エラストマ等から選ぶことができ、このような弾性材により保持部材１８をワンピースに一体成形している。盤状ブロックの表面（固定レール８の溝底部に臨む側を裏面とし、これとは反対側の表面）には、延出部２１の先端の幅方向ほぼ中央部から栓部２０の近傍に向けて切欠状に延びる凹部２２が形成され、該凹部２２により盤状ブロックに薄肉部２３を形成する。その結果、栓部２０の近傍から凹部２２を挟んで延出部２１の先端に延びる一対の厚肉部２４、２４が形成され、各厚肉部２４の側縁を固定レール８の溝壁８ｂに向けてほぼ山形に突出せしめることにより爪部２５を形成している。この際、爪部２５の山形となる一対の斜面は、延出部２１の先端に向かう斜面を緩傾斜とすることによりガイドテーパ面２６を形成し、これと反対側の斜面を急傾斜とすることにより保持面２７を形成している。尚、該保持面２７から栓部２０に向かう延出部２１の側縁は、緩い上り勾配となるテーパ面２８を形成する。
【００２５】
保持部材１８は、栓部２０に形成したスロット２９に固定レール８の舌片８ｃを挿入保持せしめると共に、栓部２０に隣接する位置で薄肉部２３に形成した皿孔状の共締め孔３０を固定レール８の端側のビス孔８ｄに合致せしめ、ビス７により保持部材１８と固定レール８を側板４に共締めされる。
【００２６】
これに対して、係止手段１９は、移動レール１１の引出し方向の端縁から所定寸法だけ押入れ方向に離間した部位に位置して該レールの溝壁１１ｂ、１１ｂを溝内方向に突出せしめることにより係止突部３１、３１を形成する。この係止突部３１は、例えば、溝壁１１ｂを外側から内側に向けてプレス変形せしめることにより形成されるが、図３（Ａ）に示すように、係止突部３１、３１から引出し方向の端縁に向かう溝壁１１ｂ、１１ｂにより構成された溝壁端部１１ｃは、保持部材１８のテーパ面２８とほぼ同様の緩い勾配となるテーパ面３２を形成するのが好ましい。
【００２７】
上下に配置されたスライドレール装置６、６は、各スライドレール装置６における固定レール８の前端部及び後端部の両方にそれぞれ保持部材１８、１８を対称状に設け、移動レール１１の前端部及び後端部の両方にそれぞれ係止手段１９、１９を対称状に設けることにより、上下のスライドレール装置６、６の前端部と後端部の両方にそれぞれ保持手段１７を構成するようにしても良いが、本発明の目的を達する範囲で部品点数の減少化と低コスト化を実現するためには、図５に示すように、下側のスライドレール装置６ａにおいては少なくとも前端部のみに保持手段１７ａ（第１保持手段）を構成せしめ、上側のスライドレール装置６ｂにおいては少なくとも後端部のみに保持手段１７ｂ（第２保持手段）を構成せしめれば足りる。例えば、一端部に保持手段１７を備えたスライドレール装置６を２本用意し、下側のスライドレール装置６ａにあっては保持手段１７（第１保持手段１７ａ）を前方に配置し、上側のスライドレール装置６ｂにあっては保持手段１７（第２保持手段１７ｂ）を後方に配置せしめ、それぞれ側板４に取付ければ良い。
【００２８】
以上の構成によれば、格納空間Ｓに格納された扉２を引出すために引張ると、蝶番３を介して牽引されながら、上下のスライドレール装置６ｂ、６ａにおける移動レール１１が固定レール８に対して引出し方向に移動する。最大引出し位置に至る直前に、下側のスライドレール装置６ａの前端部に設けた第１保持手段１７ａにおいて、係止手段１９を構成する移動レール１１の係止突部３１が、保持部材１８の爪部２５を該レールの溝幅方向に弾性変形せしめ、爪部２５は、係止突部３１が乗り越えて通過すると形状を復元する。
【００２９】
この引出しに際し、移動レール１１の引出し方向の端縁が保持部材１８の延出部２１の先端に到来すると、溝壁端部１１ｃのテーパ面３２が保持部材１８のガイドテーパ面２６に沿って引出し方向に進行する。移動レール１１の一対の係止突部３１、３１の間隔寸法は、保持部材１８の一対の爪部２５、２５の間隔寸法よりもやや短く形成されているので、移動レール１１の進行に伴い、係止突部３１、３１が爪部２５、２５を押圧し、該レールの溝幅方向の内側方向に弾性変形せしめ、これにより係止突部３１、３１が爪部２５、２５を乗り越える。
【００３０】
係止突部３１、３１が乗り越えると、爪部２５、２５は弾性復元し、これにより爪部２５、２５の保持面２７、２７を係止突部３１、３１に係止する。前述のように保持面２７は急傾斜となる斜面を構成しているので、移動レール１１が押入れ方向に戻ることを阻止し、その位置で移動レール１１を保持する。このように、固定レール８に取付けた保持部材１８と、移動レール１１に設けた係止手段１９とから成る保持手段１７ｂは、移動レール１１の係止突部３１により保部材１８の爪部２５を該レールの溝幅方向に弾性変形せしめる構成であるから、偏平なスライドレール装置６の内部の狭小なデッドスペースを利用して納められ、コンパクトである。尚、爪部２５、２５を形成した厚肉部２４、２４は、凹部２２により弾性変形を容易とされているが、設計時に、凹部２２の深さ、即ち、薄肉部２３の肉厚を所定の寸法に設計することにより、厚肉部２４、２４の弾性強さを強弱何れにも設定できる。
【００３１】
前述のように係止突部３１が爪部２５を乗り越えるや否や、移動レール１１の引出し方向の端縁は、保持部材１８の栓部２０に受止められ、扉２及び移動レール１１の最大引出し位置を規定する。この際、弾性材から成る栓部２０がストッパ３３を構成し、移動レール１１の衝撃を吸収しながら当接せしめ停止させる。図例の場合、移動レール１１は、引出し方向の端縁を栓部２０のストッパ３３に当接した状態で、係止突部３１を爪部２５の保持面２７に係止される。即ち、係止突部３１を含む溝壁端部１１ｃがストッパ３３と保持面２７の間に挟持状態で保持されるので、移動レール１１は引出し方向にも押入れ方向にもガタツキを生じることなく保持される。
【００３２】
図例の場合、蝶番３を取付固着したボルト・ナット１３のうちボルト頭部又はナットが移動レール１１の基板部１１ａの内側面に突出しているが、最大引出し位置において、図３（Ａ）に鎖線で示すように、保持部材１８の凹部２２に進入して位置する。
【００３３】
以上のようにして、扉２を最も前方へ移動した最大引出し位置においては、図５に示すように、下側のスライドレール装置６ａの前端部に設けられた第１保持手段１７ａが、爪部２５により構成した第１係止部２５ａに対して係止突部３１により構成した第１被係止部３１ａを係止され、移動レール１１の後方（押入れ方向）への移動を阻止する。そこで、上下の蝶番３、３により片持ち支持された扉２は、自重により、上側部分が引出し方向に作用し下側部分が押入れ方向に作用するモーメントを受けるが、上側のスライドレール装置６ｂは移動レール１１が最大引出し位置にあってそれ以上の前方移動を阻止されると共に、下側のスライドレール装置６ａは第１保持手段１７ａにより移動レール１１の後方移動を阻止されているので、扉２は、従来のように傾斜姿勢へと偏位することなく、鉛直姿勢に保持される。
【００３４】
扉２を最大引出し位置から格納空間Ｓに格納せしめるに際しては、扉２をスライドレール装置６、６に沿って強く押入れると、下側のスライドレール装置６ａにおける第１保持手段１７ａによる係止状態が解除される。即ち、移動レール１１の係止突部３１が保持面２７を押圧しつつ爪部２５を該レールの溝幅方向の内側方向に弾性変形せしめ、これにより係止突部３１、３１が爪部２５、２５を乗り越え、係止手段１９が保持部材１８から脱する。扉２を最も後方へ移動して格納空間Ｓに格納した最大押入れ位置において、前述のように、上側のスライドレール装置６ｂの後端部には第２保持手段１７ｂが設けられているので、上述した第１保持手段１７ａと全く同様の作用により、上側のスライドレール装置６ｂの後端部に設けた第２保持手段１７ｂは、保持部材１８の爪部２５により構成した第２係止部２５ｂと、係止手段１９の係止突部３１により構成した第２被係止部３１ｂとを相互に係止し、移動レール１１の前方（引出し方向）への移動を阻止する。前述のように扉２は、上側部分が引出し方向に作用し下側部分が押入れ方向に作用するモーメントを受けているが、下側のスライドレール装置６ａは移動レール１１が最大押入れ位置にあってそれ以上の後方移動を阻止されると共に、上側のスライドレール装置６ｂは第２保持手段１７ｂにより移動レール１１の前方移動を阻止されるので、扉２を鉛直姿勢に保持する。
【００３５】
【発明の効果】
請求項１ないし４に記載の本発明によれば、スライドレール装置６を格納空間Ｓに格納される扉２等の進退部材の上下に平行に取付けた場合、該進退部材を最大引出し位置に引出したとき、移動レール１１の係止手段１９が固定レール８の保持部材１８に自動的に保持され、該移動レール１１の自由な移動を阻止するので、扉２を従来のように傾斜姿勢に偏位せしめることがなく、鉛直姿勢を保持できるという効果がある。
【００３６】
特に、本発明によれば、固定レール８に取付けた保持部材１８と、移動レール１１に設けた係止手段１９とにより保持手段１７を構成し、移動レール１１の係止突部３１が保部材１８の爪部２５を該レールの溝幅方向に弾性変形せしめる構成であるから、保持手段１７が偏平なスライドレール装置６の内部の狭小なデッドスペースを利用して納められ、コンパクトになるという利点がある。
【００３７】
しかも、本発明によれば、移動レール１１の移動に際し、それぞれ緩傾斜面に形成された溝端壁部１１ｃのテーパ面３２を保持部材１８のガイドテーパ面２６に沿ってスムースに進行させながら、係止突部３１が爪部２５を乗り越えるや否や、移動レール１１の移動方向の端縁を弾性材から成る栓部２０のストッパ３３に当接し停止せしめる構成であるから、停止時の移動レール１１の衝撃を吸収緩和することができ、この際、反力を受ける前記移動方向の反対方向に対しては、それぞれ急傾斜面に形成された係止突部３１の斜面を爪部２５の保持面２７に確実に係止する。特に、本発明は、最大移動位置において、移動レール１１の係止突部３１を含む溝壁端部１１ｃを保持部材１８のストッパ３３と爪部２５の間に挟持せしめる構成であるから、移動レール１１は引出し方向にも押入れ方向にもガタツキを生じることなく好適に保持されるという格別顕著な効果がある。
【００３９】
そして、請求項２及び請求項４に記載の本発明によれば、保持部材１８の延出部２１に凹部２２を形成し、爪部２５を備えた厚肉部２４が凹部２２により弾性変形するように構成しているので、保持部材１８を設計する際に、凹部２２の深さ、即ち、薄肉部２３の肉厚を所定の寸法に設計することにより、爪部２５の弾性強さを強弱何れにも設定できる利点がある。しかも、移動レール１１に蝶番３を取付固着するボルト・ナット１３を延出部２１の凹部２２に進入するように構成しているので、移動レール１１の最大移動位置を固定レール８の該移動方向の端のほぼ一杯まで設定できるという効果がある。
【００４０】
そして、請求項５に記載の本発明によれば、最大引出し位置に移動した扉２が傾くのを防止することができ、請求項６に記載の本発明によれば、最大押入れ位置に移動した扉２が傾くのを防止することができ、請求項７に記載の本発明によれば、扉２が最大引出し位置と最大押入れ位置との何れに移動したときにも傾くのを防止することができる。
【図面の簡単な説明】
【図１】本発明の１実施形態に係るスライドレール装置を使用した扉付きキャビネットの１例を示す部分横断面図である。
【図２】本発明の１実施形態を示しており、（Ａ）は端面から見た側面図、（Ｂ）は縦断側面図である。
【図３】本発明の１実施形態を示しており、（Ａ）は図２（Ａ）のＡ−Ａ線一部断面図、（Ｂ）は図２（Ａ）のＢ−Ｂ線一部断面図である。
【図４】本発明の１実施形態を示しており、（Ａ）はスライドレール装置の端部近傍を示す斜視図、（Ｂ）は保持部材の斜視図である。
【図５】本発明のスライドレール装置を設けた扉装置の１実施形態の外観を示す斜視図である。
【符号の説明】
１    本体（キャビネット）
２    進退部材（扉）
３    蝶番
４    側板
６    スライドレール装置
６ａ  下側のスライドレール装置
６ｂ  上側のスライドレール装置
８    固定レール
８ａ  基板部
８ｂ  溝壁
８ｃ  舌片
８ｄ、８ｅ  ビス孔
９    ボール
１０    リテーナレール
１１    移動レール
１１ａ  基板部
１１ｂ  溝壁
１１ｃ  溝壁端部
１７    保持手段
１７ａ  第１保持手段
１７ｂ  第２保持手段
１８    保持部材
１９    係止手段
２０    栓部
２１    延出部
２２    凹部
２３    薄肉部
２４    厚肉部
２５    爪部（係止部）
２５ａ  第１係止部
２５ｂ  第２係止部
２６    ガイドテーパ面
２７    保持面
２８    テーパ面
２９    スロット
３１    係止突部（被係止部）
３１ａ  第１被係止部
３１ｂ  第２被係止部
３２    テーパ面
３３    ストッパ
【図１】
0004489224.tif 000002
【図２】
0004489224.tif 000003
【図３】
0004489224.tif 000004
【図４】
0004489224.tif 000005
【図５】
0004489224.tif 000006